(57)【要約】【課題】観賞できる範囲が広げられ、観賞性が向上されてなる立体映像表示装置を提供する。【解決手段】二次元映像表示面１を有する二次元映像表示装置２と、二次元映像表示面１に対して所定角度αに傾斜させて所定間隔で配設された所要数のハーフミラー３とを備え、二次元映像表示面１は、少なくともハーフミラー３により同表示面１に表示された映像から虚像５が生成される虚像生成領域４と、虚像生成領域４の間に介在して虚像を生成しない虚像不生成領域６を有し、かつ虚像生成領域４の奥行き方向における長さを、虚像不生成領域６の奥行き方向における長さに比べて長くしてなる立体映像表示装置Ｕである。【選択図】図１
2012088739.tif 000002
【特許請求の範囲】
【請求項１】
二次元映像を三次元的に見えるように表示する立体映像表示装置であって、
二次元映像を表示する二次元映像表示面と、前記二次元映像表示面に対して観賞者側に所定角度傾斜させて、奥行き方向へ所定間隔で配設された複数のハーフミラーとを備え、
前記二次元映像表示面は、前記ハーフミラーの位置に対応して前記ハーフミラーにより虚像を生成する複数の虚像生成領域と、該虚像生成領域との間に介在して虚像を生成しない虚像不生成領域を有し、
該虚像生成領域の奥行き方向における長さを、該虚像不生成領域の奥行き方向における長さに比べて長くしたことを特徴とする立体映像表示装置。
【請求項２】
前記複数の虚像生成領域の奥行き方向における長さを、奥に行くにつれて短くなるようにしたことを特徴とする請求項１記載の立体映像表示装置。
【請求項３】
前記複数のハーフミラーの前後の間隔が奥に行くにつれて狭くなるように、前記複数のハーフミラーを配設することを特徴とする請求項１又は２記載の立体映像表示装置。
【請求項４】
ハーフミラーの枚数が、２枚ないし７枚とされてなることを特徴とする請求項１乃至３のいずれかの項記載の立体映像表示装置。
【発明の詳細な説明】
【技術分野】
【０００１】
本発明は立体映像表示装置に関する。さらに詳しくは、観賞性が向上されてなる立体映像表示装置に関する。
【背景技術】
【０００２】
従来より、複数のハーフミラーと、それぞれのハーフミラーに対応して設置される二次元映像装置とを用い、映像を三次元的に見えるように表示する三次元映像表示装置が知られている。
【０００３】
例えば、特開２００６−１３５３７８号公報には、図８に示すように、二次元映像表示装置２の二次元映像表示面１を複数の映像領域４ａ，６ａ，４ｂ，６ｂ，４ｃに分割して個別の映像を表示し、これに複数のハーフミラー３ａ，３ｂ，３ｃを一定に傾斜させて配置し、観賞者２０ａの視線２０１ａに対して奥行きの異なる虚像５ａ，５ｂ，５ｃが重なって見えることで三次元映像を表示する三次元映像表示装置Ｕが提案されている。
【０００４】
しかしながら、前記提案に係る三次元映像表示装置Ｕにおいては、その映像を観賞できるのは、その表示された虚像５ａ，５ｂ，５ｃに正対できる範囲（図中の破線Ｐ１，Ｐ２に挟まれた領域Ｖ）に限定され、また二次元映像表示面１の高さは一定とされているところから、ハーフミラー３ａ，３ｂ，３ｃにより形成される虚像５ａ，５ｂ，５ｃを観賞するためには視線２０１ａを領域Ｖの位置まで持ってくる必要がある。そのため、背の高い観賞者２０ａは腰をかがめて観賞しなければならず、その逆に背の低い子供などの観賞者２０ａは踏み台を用いて観賞しなければならないという問題がある。
【先行技術文献】
【特許文献】
【０００５】
【特許文献１】特開２００６−１３５３７８号公報
【発明の開示】
【発明が解決しようとする課題】
【０００６】
本発明はかかる従来技術の課題に鑑みなされたものであって、効果的な立体映像を生成し、観賞性を向上させる立体映像表示装置を提供することを目的としている。
【課題を解決するための手段】
【０００７】
本発明の立体映像表示装置は、二次元映像を三次元的に見えるように表示する立体映像表示装置であって、二次元映像を表示する二次元映像表示面と、前記二次元映像表示面に対して観賞者側に所定角度傾斜させて、奥行き方向へ所定間隔で配設された複数のハーフミラーとを備え、
前記二次元映像表示面は、前記ハーフミラーの位置に対応して前記ハーフミラーにより虚像を生成する複数の虚像生成領域と、該虚像生成領域との間に介在して虚像を生成しない虚像不生成領域を有し、
該虚像生成領域の奥行き方向における長さを、該虚像不生成領域の奥行き方向における長さに比べて長くしたことを特徴とする。
【０００８】
本発明はまた、前記複数の虚像生成領域の奥行き方向における長さを、奥に行くにつれて短くなるようにした。
【０００９】
また、本発明の立体映像表示装置においては、虚像生成領域と虚像不生成領域との幅の比が、１：０〜１：０．３５とされてなるのが好ましい。
【００１０】
さらに、本発明の立体映像表示装置においては、ハーフミラーの枚数が、２枚ないし７枚とされてなるのが好ましく、３枚ないし６枚とされてなるのがさらに好ましい。
さらに、本発明の立体映像表示装置においては、前後のハーフミラーのそれぞれの幅の比が、１：０．６５〜１：０．９５とされてなるのが好ましい。
【発明の効果】
【００１１】
本発明によれば、効果的な立体映像を生成することができ、観賞性が向上されてなる立体映像表示装置を提供することができる。
【図面の簡単な説明】
【００１２】
【図１】本発明の実施形態に係る立体映像表示装置の斜視図である。
【図２】本発明の実施形態に係る立体映像表示装置の側面図である。
【図３】本発明の実施形態に係る立体映像表示装置の映像表示の原理を説明する説明図である。
【図４】本発明の実施形態に係る立体映像表示装置の映像領域の説明図である。
【図５】本発明の変形例の側面図である。
【図６】本発明の他の変形例の側面図である。
【図７】本発明のさらに他の変形例の側面図である。
【図８】従来の三次元映像表示装置の側面図である。
【発明を実施するための形態】
【００１３】
以下、添付図面を参照しながら本発明を実施形態に基づいて説明するが、本発明はかかる実施形態のみに限定されるものではない。
【００１４】
本発明の一実施形態に係る立体映像表示装置を図１〜図４に示す。
【００１５】
立体映像表示装置Ｕは、図１〜図４に示すように、二次元映像表示面１を有する二次元映像表示装置２を備える。二次元映像表示面１は、図４に示すように、例えばその長手方向に複数の長方形の映像表示領域４ａ，６ａ，４ｂ，６ｂ，４ｃ，６ｃ，４ｄが並ぶように分割されている。なお、図示例においては、二次元映像表示面１は上方に向けて設置されているが、二次元映像表示面１の向きは適宜とすることができる。
【００１６】
ここで、前記映像表示領域４ａ，６ａ，４ｂ，６ｂ，４ｃ，６ｃ，４ｄは、当該領域と対応してハーフミラー３ａ，３ｂ，３ｃ，３ｄが所定位置に設置されて虚像が生成される虚像生成領域４ａ，４ｂ，４ｃ，４ｄと、ハーフミラーが設置されないことにより虚像が生成されない虚像不生成領域６ａ，６ｂ，６ｃとを含む。
【００１７】
また、虚像生成領域４ａ，４ｂ，４ｃのそれぞれの幅Ｗａ，Ｗｂ，Ｗｃと、虚像不生成領域６ａ，６ｂ，６ｃのそれぞれの幅Ｄａ，Ｄｂ，Ｄｃとの比ｍは、図４に示す例においては、１：０．２５（＝Ｗａ：Ｄａ＝Ｗｂ：Ｄｂ＝Ｗｃ：Ｄｃ）とされている。
【００１８】
なお、図４において、虚像不生成領域６ａ，６ｂ，６ｃにおけるハッチング状の模様は、この部分に映像が表示されることを表現している。このことは、本明細書に添付されている全ての図において同様である。
【００１９】
ハーフミラー３ａ，３ｂ，３ｃ，３ｄは、図２に示すように、対応する虚像生成領域４ａ，４ｂ，４ｃ，４ｄそれぞれの真上に、所定角度α（例えば、４５度（図３参照））傾斜した状態で互いに平行に配設される。ここで、ハーフミラー３ａ，３ｂ，３ｃ，３ｄの平面投射形状と、虚像生成領域４ａ，４ｂ，４ｃ，４ｄの平面視形状とは同一とされる。
【００２０】
また、ハーフミラー３ａ，３ｂ，３ｃ，３ｄのそれぞれの平面視における幅は、その比ｎが１：０．８（＝Ｗａ：Ｗｂ＝Ｗｂ：Ｗｃ＝Ｗｃ：Ｗｄ）とされて奥に行くにしたがって狭くなるようにされている。つまり、ハーフミラー３ａの幅が最大とされ、ハーフミラー３ｄの幅が最小とされている。この場合、ハーフミラー３ａ，３ｂ，３ｃ，３ｄのそれぞれの頂辺は、それぞれの底辺が二次元映像表示面１に接触させられた状態で同一平面上に位置するようそれぞれの幅が調整されている。
【００２１】
その結果、立体映像が観賞できる領域が楔状を呈し、立体映像表示装置Ｕから離れるにつれてその視認領域（観賞領域（図２中の破線Ｐ１，Ｐ２に挟まれた領域Ｖ））が拡大する。それ故、二次元映像表示面１の高さを背の低い観賞者２０ａの視線２０１ａに合わせて調整しても、背の高い観賞者２０ｂは離れた位置で観賞することにより、自然な姿勢で視線２０１ｂを映像に向けて観賞することができる。
【００２２】
また、奥に行くにつれて虚像生成領域４ａ，４ｂ，４ｃ，４ｄの幅Ｗａ，Ｗｂ，Ｗｃ，Ｗｄが狭くなり虚像５ａ，５ｂ，５ｃ，５ｄの高さが低くなるので、遠近感が強調された立体映像が得られる。
【００２３】
さらに、観賞者２０からみて一番手前の虚像生成領域４ａはその平面視における幅Ｗａが広いので、一番目立つ手前の虚像５ａを高い解像度で表示することができる。
【００２４】
以上、本発明を実施形態に基づいて説明してきたが、本発明はかかる実施形態のみに限定されるものではなく、種々改変が可能である。
【００２５】
例えば、ハーフミラー３の枚数は、図示例では４枚とされているが、ハーフミラーの枚数は４枚に限定されるものではなく、２枚〜７枚、好ましくは３枚〜６枚の適宜枚数とすることができる（図５〜図７参照）。枚数をこのように限定するのは、１枚では立体感に乏しい映像になる一方、８枚以上では二次元映像表示面１の分割が細かくなりすぎて、虚像生成領域４および虚像不生成領域６のそれぞれの幅が狭くなり、充分な解像度を維持することができないおそれがあるからである。
【００２６】
また、虚像生成領域４の幅と虚像不生成領域６の幅との比ｍは、１：０〜１：０．３５とすることができる。比ｍをこのように限定するのは、観賞者２０から目立って見える虚像５を作り出す虚像生成領域４の幅をできるだけ広くするようにしたほうが、効果的な立体映像が生成されることによる。なお、比ｍが、１：０は虚像不生成領域６が設けられない場合を意味している。
【００２７】
また、前後のハーフミラーのそれぞれの幅の比ｎは、１：０．６５〜１：０．９５とすることができる。比ｎをこのように限定するのは、１：０．６５よりも大きいと観賞者２０からみて奥の方の虚像生成領域４が極端に狭くなって解像度が低くなり、映像の表示能力が乏しくなる一方、１：０．９５よりも小さいと観賞領域Ｖの開き角度が小さくなり、背の高い観賞者２０ｂは遠く離れた位置からでないと自然な姿勢で立体映像を視認できないが、そうすると立体映像が遠ざかりその観賞が困難となるからである。
【００２８】
さらに、本実施形態では、二次元映像表示面１が二次元映像表示装置２と一体化されているが、二次元映像表示面１と二次元映像表示装置２とは分離して構成することもできる。例えば、二次元映像表示面１をスクリーンとし、その背面からプロジェクタで二次元映像を映写するようにしてもよい。また、立体映像表示装置Ｕの小型化を図る点から、スクリーンとプロジェクタとの間に光路変更手段例えばミラーを設けて、光路を変更するようにしてもよい。
【産業上の利用可能性】
【００２９】
本発明は、平面映像から立体映像を生成する映像装置に適用できる。
【符号の説明】
【００３０】
１：二次元映像表示面    ２：二次元映像表示装置    ３：ハーフミラー
４：虚像生成領域        ５：虚像                  ６：虚像不生成領域
Ｕ：立体映像表示装置    Ｖ：観賞領域
【図１】
2012088739.tif 000003
【図２】
2012088739.tif 000004
【図３】
2012088739.tif 000005
【図４】
2012088739.tif 000006
【図５】
2012088739.tif 000007
【図６】
2012088739.tif 000008
【図７】
2012088739.tif 000009
【図８】
2012088739.tif 000010
【手続補正書】
【提出日】平成24年2月9日(2012.2.9)
【手続補正１】
【補正対象書類名】特許請求の範囲
【補正対象項目名】全文
【補正方法】変更
【補正の内容】
【特許請求の範囲】
【請求項１】
二次元映像を三次元的に見えるように表示する立体映像表示装置であって、
二次元映像を表示する二次元映像表示面と、前記二次元映像表示面に対して観賞者側に所定角度傾斜させて、奥行き方向へ所定間隔で配設された複数のハーフミラーとを備え、
前記二次元映像表示面は、前記ハーフミラーの位置に対応して前記ハーフミラーにより虚像を生成する複数の虚像生成領域と、該虚像生成領域との間に介在して虚像を生成しない虚像不生成領域を有し、
該虚像生成領域の奥行き方向における長さを、該虚像不生成領域の奥行き方向における長さに比べて長くし、
前記複数の虚像生成領域の奥行き方向における長さを、奥に行くにつれて短くなるようにしたことを特徴とする立体映像表示装置。
【請求項２】
前記複数のハーフミラーの前後の間隔が奥に行くにつれて狭くなるように、前記複数のハーフミラーを配設することを特徴とする請求項１に記載の立体映像表示装置。
【請求項３】
ハーフミラーの枚数が、２枚ないし７枚とされてなることを特徴とする請求項１又は２に記載の立体映像表示装置。